(57)【要約】【課  題】所要の浮力を持たせるための床材をコンパクトにすることができ、しかも床材を固定するためのボルトで床材間に一定の隙間を持たせることができてプール床の組付作業が簡単で部品も少なくてすみ、水の汚れや清掃作業を必要とする室をなくしたプール床を提供する。【解決手段】床材２１は、内部を等間隔に設けた縦リブ２２により仕切って同形同大の三つの空気室２３を形成し、両側面の上下にフランジ２４、２５を側方に突出して形成する。組付けは、フレーム上に床材２１を直交して並べ、床材間のフランジ２５上に止め金具１２を置き、フレーム上面に下方より当てがった押え金具１３との間にボルト１４を通し、両側の床材２１をフランジ２５がボルト軸部に突き当たるまで押し込んだのち、ボルト突出端にナット１５を捩込み固定する。【選択図】  図６
2004285779.tif 000002
【特許請求の範囲】
【請求項１】
並設されるフレーム上に空気室を備えた床材をフレームと直交して並べ、フレームと止着手段を介して連結してなる、プールに昇降可能に設置されるプール床において、床材は両側面の下端にそれぞれ側方に突設されるフランジを有し、また止着手段がボルトを有し、該ボルトの頭部両側で隣接する床材の互いに向き合うフランジを押えて固定することを特徴とするプール床。
【請求項２】
隣接する床材の対向するフランジでボルトの軸部を挟み込んで固定することを特徴とする請求項１記載のプール床。
【請求項３】
隣接する床材の対向する側面でボルト頭部を挟み込んで固定することを特徴とする請求項１記載のプール床。
【発明の詳細な説明】
【０００１】
【発明が属する技術分野】
本発明は、プールに昇降可能に設置されるプール床に関する。
【０００２】
【従来技術】
図１は、プール床１の一例を示すもので、図２は図１のａの拡大図、図３は図２のＡ−Ａ線断面図、図４はＢ−Ｂ線断面、図５は同Ｃ−Ｃ線断面である。
図１に示すプール床１は、図２〜図５に示すように、断面が溝形状をなすフレーム２を並設し、その上に床材３をフレーム２と直交して一定の間隙ｃを存して並べ、フレーム２に取付けてなるもので、床材３は、図４及び図５に示すように、左右対称形をなし、内部を縦リブ４で仕切って複数の空気室５を形成し、これによりプール床１に浮力を持たせるようにしており、両側の室６は下面中央に溝７を床材３の長手方向に形成している。
【０００３】
プール床１の組立は、並設されるフレーム２上に床材３をフレーム２と直交して並べ、フレーム間の床材下面からボルト通し孔を一定ピッチで形成した細板状のつなぎ金具８を当て、室６に通したボルト９の溝７からの突出部分につなぎ金具８のボルト通し孔を通し、その突出部分にナット１１を捩込んで締着することにより床材３を一定の間隙ｃを存してつなぎ金具８により連結し（図５）、ついで図３及び図４に示すように室６に通した留め金具１２と押え金具１３で室６下面とフレーム上面を挟み込んでボルト１４及びナット１５により連結していた。
【０００４】
【発明が解決しようとする課題】
上述する従来のプール床では、
（１）床材を一定の間隙ｃを存して並べるのは、プール床１を昇降するときに間隙ｃを通して水を出入りできるようにすることにより、昇降時の水の抵抗を少なくするためであるが、このためにつなぎ金具８が必要で、床材３をつなぎ金具８に連結するために床材３の端から室６内に必要数のボルト９を溝７に通して挿入し、溝７からのボルト突出端につなぎ金具８のボルト通し孔を通してナット１１を捩込み、止着する必要があること、
（２）床材３は、左右両側の室６においてフレーム２に留め金具１２と押え金具１３を用い、これらで室下面とフレーム上面を挟み込んでボルトとナットで連結する必要があること、
（３）左右の室６の水は、プール床１を昇降させても水が入れ換わり難く、水が澱んで汚れ易いが、室６内を洗浄するには、プール内の水を抜いてプール床１の下方から室６内に水を噴射して行う必要があり洗浄が容易でないこと、
等の問題があった。
本発明は、上記の問題を解消したプール床を提供することを目的とする。
【０００５】
【課題の解決手段】
請求項１に係わる発明のプール床は、並設されるフレーム上に空気室を備えた床材をフレームと直交して並べ、フレームと止着手段を介して連結してなる、プールに昇降可能に設置されるプール床において、床材は両側面の下端にそれぞれ側方に突設されるフランジを有し、また止着手段がボルトを有し、該ボルトの頭部両側で隣接する床材の互いに向き合うフランジを押えて固定することを特徴とする。
【０００６】
本発明のプール床によると、
（１）隣接する床材の対向するフランジを一本のボルトを用いて、その頭部で同時に押えて固定することができ、プール床両端の床材を除いて各床材は、一本のボルトで固定でき、
（２）ボルトを通す溝を備えた室を形成する必要がなく、その分空気室を広くすることができるため浮力を増すことができ、コンパクトな床材でも同じ浮力を持たせることができ、
（３）床材には水が入り込むような室がなく、水が汚れたり、洗浄する必要がない。
本発明の床材は、アルミ等の金属製であってもよいが、好ましくは安価なプラスチック製とされ、押出成形によって得られる。
【０００７】
請求項２に係わる発明は、請求項１に係わる発明において、隣接する床材の対向するフランジでボルトの軸部を挟み込んで固定することを特徴とし、請求項３に係わる発明は、隣接する床材の対向する側面でボルト頭部を挟み込んで固定することを特徴とする。
上記各発明によると、床材を固定するボルトで、床材間に一定の隙間を形成することができる。
【０００８】
【発明の実施の形態】
図６に示す床材２１は、内部を等間隔に設けた縦リブ２２により仕切って、同形同大の三つの空気室２３を形成し、両側面の上下にラウンジ２４、２５を側方に突出して形成したもので、フレーム２上に連結するときには、図３及び図４に示すものと同様、止め金具１２と押え金具１３を用い、フレーム２上に床材２１を並べて、その間のフランジ２５上に止め金具１２を置き、フレーム上面に下方より当てがった押え金具１３との間にボルト１４を通し、両側の床材２１をフランジ２５がボルト軸部に突き当たるまで押し込んだのち、ボルト１４突出端にナット１５を捩込み固定する。こうしてフレーム２上に床材２１が次々に並設され、フランジ２４間には、ボルト軸部によって、一定の隙間２６が形成されるようになっている。
【０００９】
本実施形態の床材２１によると、各床材２１は、プール床両端の床材を除いて、各一本ずつのボルト１４、ナット１５及び止め金具１２、押え金具１３によって固定されること、図４に示す床材３に比べると、ボルト９、１４を通す室６がない分、空気室５が拡がり、浮力を増すことができるため、所要の浮力を得るための床材をコンパクトにすることができること、床材を固定するボルトで床材間に一定の隙間２６を形成することができ、床材間に一定の隙間２６を形成するためのつなぎ金具８や、該つなぎ金具８で床材間に一定の隙間を形成するための作業が不要にできること、水が入り込んで汚れ、清掃を困難にする室がないこと、床材間を清掃する場合も、床材間の隙間から上方より水を吹き付けることによって容易に行うことができること、縦リブ２２が一定間隔で設けられ、床材２１の強度を均一化させることができること等の効果を奏する。
【００１０】
図７に示す床材２８は、側面を下方に向かって抉り、該抉り部分２９のフランジ３１上にボルト１４の頭部が納まるようにしたもので、この床材２８も上述の床材２１と同様にして、止め金具１２、押え金具１３を用い、ボルト１４及びナット１５にてフレーム２上に連結され、床材２８間には、隙間３０が形成されるようになっている。
【００１１】
【発明の効果】
請求項１に係わる発明によると、プール床両側の床面を除いて、各床材はそれぞれ一本のボルトによって固定することができ、従来のものと比べ、固定具や固定作業を半減できること、ボルトを通す室がない分、空気室を大きく取ることができ、浮力が増すため、所要の浮力を得るための床材をコンパクトにすることができ、またボルトを通す室があると、該室に入り込んだ水が澱んで汚れたり、清掃するのが容易でない、といった問題があるのに対し、水が入り込む室がないため、こうした問題が生ずることがないこと等の効果を奏する。
【００１２】
請求項２及び３に係わる発明によると、床材を固定するボルトによって同時に床材間に一定の隙間を形成することができ、従来のようなつなぎ金具や、該つなぎ金具を固定するための作業を不要にすることができる。
【図面の簡単な説明】
【図１】プール床の平面図。
【図２】図１のａ部の拡大図。
【図３】図２のＡ−Ａ線断面図。
【図４】同Ｂ−Ｂ線断面図。
【図５】同Ｃ−Ｃ線断面図。
【図６】本発明に係わるプール床の要部の拡大断面図。
【図７】別の例の要部の拡大断面図。
【符号の説明】
１・・プール床
２・・フレーム
３、２１、２８・・床材
４、２２・・縦リブ
５、２３・・空気室
６・・室
８・・つなぎ金具
９、１４・・ボルト
１１、１５・・ナット
１２・・止め金具
１３・・押え金具
２４、２５、３１・・フランジ
２６、３６・・隙間
２９・・抉り部分
【図１】
2004285779.tif 000003
【図２】
2004285779.tif 000004
【図３】
2004285779.tif 000005
【図４】
2004285779.tif 000006
【図５】
2004285779.tif 000007
【図６】
2004285779.tif 000008
【図７】
2004285779.tif 000009